(57)【要約】【課題】  従来技術の防雪柵と同等の強度性と施工費用で大きな防風・防雪効果を得ることができるし、運転者に圧迫感を与えることも景観の阻害も少ない吹き止め式防雪柵を提供する。【解決手段】  道路に沿って所定の間隔で立設する支柱３、３間には複数枚の防風・防雪板が架設してある。下側の下部防雪板群７は無孔板からなる複数枚の防雪板７Ａにより構成してあり、中間の中間部防雪板群８は透過率が約３０〜４０％の複数枚の有孔板８Ａにより構成してある。更に、上部防雪板群９は透過率が約７０〜９０％の網状パネル９Ａにより構成してある。そして、下部防雪板群７、中間部防雪板群８及び上部防雪板群９は支柱３の約３分の１ずつの縦幅に設定してあり、支柱３に掛かる転動モーメントを低減してある。【選択図】  図１
2005163282.tif 000002
【特許請求の範囲】
【請求項１】
道路に沿って所定の間隔毎に地盤に埋設する柱脚体と、該各柱脚体に立設する支柱と、該支柱間に架設することにより高さ方向に配設した複数枚の防雪板とからなる防雪柵において、前記支柱間の下部側に設ける下部防雪板群は複数枚の無孔板により構成し、中間に設ける中間部防雪板群は透過率が約３０〜４０％の複数枚の有孔板により構成し、上側に設ける上部防雪板群は透過率が約７０〜９０％の１枚乃至複数枚の網状パネルにより構成してあることを特徴とする吹き止め式防雪柵。
【請求項２】
前記支柱は直線状の鋼材からなることを特徴とする請求項１記載の吹き止め式防雪柵。
【請求項３】
前記下部防雪板群、中間部防雪板群及び上部防雪板群は、前記支柱の高さの約３分の１ずつの縦幅に設定してあることを特徴とする請求項１記載の吹き止め式防雪柵。
【発明の詳細な説明】
【技術分野】
【０００１】
本発明は、降雪地において道路面に吹雪による吹き溜まりが形成されるのを防止すると共に、視程を確保するために道路に沿って設置する吹き止め式防雪柵に関する。
【背景技術】
【０００２】
降雪地においては路面に吹雪による吹き溜まりが形成されるのを防止し、また視程を確保して交通の安全を維持するために道路に沿って防雪柵を設置することが行われている。防雪柵には種々の型式があるが、図５に従来の吹き止め式防雪柵５１を示す。該防雪柵５１は道路に沿って地盤Ａに埋設するコンクリート製の複数の柱脚体５２と、該各柱脚体５２に立設され、全高の略３分の１の上部は風上側に略く字状に屈曲形成した支柱５３と、前記柱脚体５２に立設され、支柱を支持する控柱５４と、該控柱５４と支柱５３との間に架設した複数の連結材５５、５５、・・・と、隣接する支柱５３、５３間に下半分の下段側に複数枚の無孔板５６Ａを架設して形成した無孔板部５６と、上段側に複数枚の有孔板５７Ａを架設して形成した有孔板部５７とから大略構成してある。
【０００３】
上述の構成からなる従来の防雪柵５１において、柵高Ｈ1 を高く設定することにより高い防風、防雪効果を得られることは試験的に確認されている。しかし、柵高Ｈ1 をあまり高く設定すると、風荷重が増大することから強度性を高めるために大きな柱脚体５２が必要で費用が嵩むという問題、広い用地の確保が必要であるという問題、防雪柵５１の製作費が嵩むという問題、設置の施工費も嵩むという問題、またドライバーに圧迫感を与えるし景観を阻害するという問題等がある。このため、現在のところ吹き止め式防雪柵５１に限らず、防雪柵の柵高Ｈ1 は５ｍクラスが最大とされている。この種の吹き止め式防雪柵には、特許文献１に記載の特許公開公報がある。
【０００４】
他方、高規格道路のように広幅員の道路では、一般に吹き止め柵が防風、防雪に有効であるとされているが、高盛土区間においては防雪柵の設置位置が道路レベルより低い位置になるため、通常の防雪柵では柵高が不足するという問題がある。特に、冬期間の中期から後期には防雪柵は前後側が積雪により埋没するため、柵高の不足により防風・防雪効果が低下することが問題になっている。
【特許文献１】特開平１１−１１７２３７号公報
【発明の開示】
【発明が解決しようとする課題】
【０００５】
上述した従来技術の防雪柵の未解決の課題を解決するためには、防雪柵の形状を変えて防風・防雪効果を高める方法もあるが効果に限界があり、最も大きな防風・防雪効果を得られるのは柵高を高くすることである。しかし、柵高を大きくする場合は上述の如く強度性が必要であり、そのためには支柱の構造を複雑にせざるを得ず防雪柵本体の価格が嵩むという問題があるし、勾配地や曲線区間での施工に手間と費用が掛るという欠点がある。
【０００６】
本発明は、上述した従来技術の問題点に鑑み鋭意研究した結果なされたもので、従来技術の防雪柵と同等の強度性と施工費用で大きな防風・防雪効果を得ることができるし、運転者に圧迫感を与えることも景観阻害も少ない吹き止め式防雪柵を提供することを目的とする。
【課題を解決するための手段】
【０００７】
上述した課題を解決するために構成した本発明の手段は、道路に沿って所定の間隔毎に地盤に埋設する柱脚体と、該各柱脚体に立設する支柱と、該支柱間に架設することにより高さ方向に配設した複数枚の防雪板とからなる防雪柵において、前記支柱間の下部側に設ける下部防雪板群は複数枚の無孔板により構成し、中間に設ける中間部防雪板群は透過率が約３０〜４０％の複数枚の有孔板により構成し、上側に設ける上部防雪板群は透過率が約７０〜９０％の１枚乃至複数枚の網状パネルにより構成したことにある。
【０００８】
そして、前記支柱は直線状の鋼材を用いるとよい。これにより、支柱の形状を単純化できるし、道路に横断勾配がある場合や道路がカーブしている場合でも、隣接する支柱や網状パネルの連結に複雑な加工が不要であり、従来技術の防雪柵より簡単に設置することができる。
【０００９】
また、前記下部防雪板群、中間部防雪板群及び上部防雪板群は、前記支柱の高さの約３分の１ずつの縦幅に設定するとよい。
【発明の効果】
【００１０】
本発明は以上詳述した如く構成したから、下記の諸効果を奏する。
（１）支柱の中間部に配設する中間部防雪板群は透過率が約３０〜４０％の多数枚の有孔板で構成し、上部側に配設する上部防雪板群は透過率が約７０〜９０％の１枚乃至複数枚の網状パネルで構成することにより、防雪柵に掛る風荷重を可及的に小さくすると共に重心を低くしたから、柱脚体を大型にすることなく柵高を防風・防雪効果の高い約７ｍの高さにまで高くすることができる。
（２）下部防雪板群、中間部防雪板群及び上部防雪板群は、支柱の高さの約３分の１ずつの縦幅に設定したことにより、防雪柵に掛る風荷重は上側に対して下側が大きくて重心位置も下側になり、柱脚体に掛る転倒モーメントも従来技術の場合と殆ど変わらないことから、支柱高さを約７ｍに設定しても柱脚体は従来技術のものと同程度の大きさで足りる。
（３）支柱の上部側に配設する防雪板は、透過率が約７０〜９０％の網状パネルで構成してあり、網状パネルを通して景観を目視できるから運転者に与える圧迫感を最小限にすることができるし、景観阻害の問題も解決できる。
【発明を実施するための最良の形態】
【００１１】
以下、本発明の実施の形態を図面に基づき詳述する。図１において、１は防雪柵、２、２、・・・は該防雪柵１を構成し、地盤Ａに埋設する複数の柱脚体で、該各柱脚体２はコンクリート成型体からなっており、道路に沿って所定の間隔で配設してある。３は前記各柱脚体２に立設した支柱で、該支柱３は柱脚体２からの突出長さ、即ち柵高Ｈ2 が約７ｍになるように設定した直線状の鋼材からなっている。そして、支柱３、３、・・・の上端には鋼材からなる連結材４、４、・・・が架設してある。５は該支柱３の後方に位置して柱脚体２に立設し、支柱３を支持する鋼材からなる控柱で、該控柱５と支柱３との間には高さ方向に離間して鋼材からなる複数の連結材６、６、・・・が連結してある。
【００１２】
７は前記支柱３、３、・・・間の下部側に設けた下部防雪板群を示す。該下部防雪板群７は、長方形の折り曲げ鋼板からなる複数枚の無孔板７Ａ、７Ａ、・・・を支柱３、３間に架設し、高さ方向に列設することにより構成してある。
【００１３】
８は前記下部防雪板群７の上方に位置して支柱３、３間に設けた中間部防雪板群を示す。該中間部防雪板群８は、折り曲げ鋼板からなる複数枚の有孔板８Ａ、８Ａ、・・・を支柱３、３間に架設し、高さ方向に列設することにより構成してある。そして、該各有孔板８Ａは、透過率を面積比で約３０〜４０％に設定したものからなっている。
【００１４】
更に、９は前記中部防雪板群８の上方に位置して支柱３、３間に設けた上部防雪板群を示す。該上部防雪板群９は、細い棒鋼を格子状に組み合わせて溶接することにより形成した複数枚の網状パネル９Ａ、９Ａ、・・・を支柱３、３間に架設し、高さ方向に列設することにより構成してある。そして、該各網状パネル９Ａは、透過率を約７０〜９０％に設定してあり、上部防雪板群９に掛る風荷重は複数枚の無孔板７Ａからなる下部防雪板群７の約１０〜３０％である。
【００１５】
そして、本実施の形態において、支柱３、３間に設ける下部防雪板群７、中間部防雪板群８及び上部防雪板群９は、支柱３の高さの約３分の１ずつの縦幅に設定してある。この配分により、防雪柵１に掛る風荷重は上側に対して下側が大きくて重心位置も下側になり、柱脚体２に掛る転倒モーメントも従来技術の場合と殆ど変わらないことから柱脚体２は従来技術のものと同程度の大きさで足りる。
【００１６】
また、支柱３には直線状の鋼材を用いることができることから、支柱３の形状も単純化できる。従って、道路に横断勾配がある場合や道路がカーブしている場合でも、隣接する支柱３、３及び網状パネル９Ａ、９Ａの連結に複雑な加工は不要であり、従来技術の防雪柵５１より簡単に設置することができる。
【００１７】
更に、本実施の形態において、上部防雪板群９を構成する網状パネル９Ａは細い棒鋼を格子状に組み合わせて溶接することにより形成してあり、折り曲げ鋼板を用いる従来の防雪柵５１に比べて製作も容易であるし、同等のコストで製作することができる。
【００１８】
なお、上部防雪板群９は、上述した網状パネル９Ａに替えて、樹脂製ネットや他の金網で構成してもよい。また、上部防雪板群９は１枚の網状パネルで構成したものも含むものである。
【００１９】
なお、有孔板８Ａ及び網状パネル９Ａの各透過率、並びに防雪板群７、８、９の縦幅の数値に約と付したのは、製作上の誤差或は測定において生じる実験誤差の範囲を包含するためである。
【００２０】
次に、本実施の形態に係る吹き止め式防雪柵１の作用について図３乃至図６に基づいて説明する。図３において、イは広幅員の高規格道路を示し、中央は高盛土区間ロになっている。吹き止め式防雪柵１は高盛土区間ロの外側に立設してある。道路イ上の幅方向における各測点をＡ、Ｂ、Ｃ、Ｄ、Ｅで示してある。図中の破線は、Ｖ＝０〜３ｍ／ｓまでの減風領域高さを示している。
【００２１】
図４は柵の埋没深さＨｓ＝０ｍの場合における本実施の防雪柵１と従来の防雪柵５１について流体解析プログラムによる解析により得た防風・防雪効果の数値をグラフ化したものである。
【００２２】
図４から明らかなことは、本実施の形態の吹き止め式防雪柵１は測点Ｃ以降、Ｄ、Ｅにかけて従来の防雪柵５１と比較して高さと距離の両面で明らかに吹雪の防風・防雪効果が優れている。
【００２３】
図５は柵の埋没深さＨｓ＝２ｍの場合を示す。吹き止め式防雪柵１は測点Ｂから従来の防雪柵５１と高さと距離において顕著に相違する吹雪の防風・防雪効果を発揮している。
【００２４】
図６は柵の埋没深さＨｓ＝３ｍの場合を示す。図から明らかなように、吹き止め式防雪柵１は測点Ａの地点で高さと距離において従来の防雪柵５１とは防風・防雪効果に顕著な相違を発揮している。
【００２５】
かくして、上記試験から、防雪柵１の上部防雪板群９を透過率が約７０〜９０％の網状パネル９Ａで構成しても高い吹雪の防風・防雪効果を得ることができることを確認できた。
【００２６】
なお、本実施の形態では支柱３を鉛直状に形成したが、従来の防雪柵５１のように、支柱の上部側を略く字状に屈曲させた防雪柵にしてもよい。
【００２７】
このように、本発明の防雪柵は、道路上の風速を弱め、雪の吹き込みを少なくし、また運転者の視界を確保することができることから、交通の円滑な通行と安全確保に大きく貢献することができる。
【図面の簡単な説明】
【００２８】
【図１】本発明の実施の形態に係る吹き止め式防雪柵の正面図である。
【図２】吹き止め式防雪柵の右側面図である。
【図３】吹き止め式防雪柵の減風能力試験のための説明図である。
【図４】吹き止め式防雪柵の減風能力をある条件で行った試験結果を示すグラフである。
【図５】吹き止め式防雪柵の減風能力を異なる条件で行った試験結果を示すグラフである。
【図６】吹き止め式防雪柵の減風能力を更に異なる条件で行った試験結果を示すグラフである。
【図７】従来技術に係る吹き止め式防雪柵の側面図である。
【符号の説明】
【００２９】
１      吹き止め式防雪柵
２      柱脚体
３      支柱
７      下部防雪板群
７Ａ    無孔板
８      中間部防雪板群
８Ａ    有孔板
９      上部防雪板群
９Ａ    網状パネル
【図１】
2005163282.tif 000003
【図２】
2005163282.tif 000004
【図３】
2005163282.tif 000005
【図４】
2005163282.tif 000006
【図５】
2005163282.tif 000007
【図６】
2005163282.tif 000008
【図７】
2005163282.tif 000009